Podtech/llm-jp-corpus-v4-ja_patent huggingface dataset:
(57)【要約】【課題】セパレートエアコンにおける冷房時、室内の排水を使って外に出る風の温度を下げ、外気のヒートアップ現象の抑制とセパレートエアコンの冷房効率を、向上させる。つまり、外気のヒートアップ現象の抑制と冷房効率を、向上させる。【解決手段】冷房時セパレートエアコンの、室内より排水される冷やされた水の温度差の排水を、室外機の放熱板にかけることにより、放熱板の温度を下げ、室外機の風に排出される熱を少なくし、それと共にエアコン自体の冷房効率も向上させる。【選択図】        図２
2004340501.tif 000002
【特許請求の範囲】
【請求項１】
セパレイトエアコン室内ドレンの水を室外機の放熱板にかけることにより、冷房の効率を上げるとともに、放熱の風の温度を下げること主眼としたエアコン
【発明の詳細な説明】
【０００１】そのドレンの水には、室内で冷やされた温度を差を持っており室外機を冷やすのに非常に効率的に再利用することが出来る
【発明が属する技術分野】
本発明は、エアコンの冷房効率を上げるとともに、外気に放熱する温渡を下げるエアコンに関するものである。
【０００２】
【従来の技術】
従来セパレイトエアコンの室内の熱交換器で、冷やされたドレンの水は、従来地面に排水されていました。
【０００３】
しかし、現在都市部のヒートアップ現象などの問題がクローズアップされてきて外気に放熱する熱の処理が問題となってきています。また、室内のエアコンの冷却負荷は、ますます高くなってきています。
【０００４】
ドレンの水には、室内で冷やされた温度と室外の温度の差の熱量を、持っており室外機を冷やすのに非常に効率的に再利用することが出来るのに、再利用されていなかった。
【０００５】
【発明が解決しようとする課題】
解決しようとする問題点は、エアコンの室外機から出る風の温度を下げるとともに、エアコンの効率を上げようとするものです。
【０００６】
【課題を解決するための手段】
本発明は、この改善策として、セパレイトエアコンの、室内機のドレンの水を、室外機の放熱板にかけることにより、室内で冷やされた水の熱量により室外機の放熱板が冷やされ、冷房効率が上がるとともに、外気に放出される風の、熱量を下げることが出来ることにより解決しようとするものである。
【０００７】
【発明の実施の形態】
セパレイトエアコンの室内側より出るドレンの水を、室外側の放熱板にかけることによってかけることによって機械や別の水を使うことなく簡単に出来ることを主眼に置いたものである。
【０００８】
【実施例】
図１は、本発明装置の１実施例の外観図であって、１〜８は、図２、図３と図４同様である。図２と図３は、本発明の実施例の断面図です。図４は、本発明の実施例の設置例である。
【０００９】
冷房時室内機６、より配水管８、に冷やされた排水が、室外ドレン口１に、は入り室内機よりドレンホース入れることによりドレンパン３、に水が流れドレンパンの、底の穴より水が、熱交換器５、にかかるように取り付けた構造である。
【００１０】
ドレンパン３、に水が流れることによって、ドレンパンの穴より冷却水が、熱交換器にかかる構造である。
【００１１】
【発明の効果】
このように、室外ドレン口１に入れることにより、室内の冷やされた排水が、ドレンパン３、に入ることにより、熱交換機に室内の冷たい水がかかり、冷房時の熱交換が、効率よく行うことが出来る、だけでなく、熱交換された、外気に放出される風の、熱量も少なくすることが出来るその上に、今までドレンを、地面に置いていたので良よく詰まることがあったが、それをも解決することが出来る。
【図面の簡単な説明】
【図１】エアコン室外機の外観図での実施法を示した説明図である。
【図２】エアコン室外機の断面図の実施方法を示した説明図である。
【図３】エアコン室外機断面の側面図の実施方法を示した説明図である。
【図４】エアコン室内外機を取り付けた実施方法を示した説明図である。
【符号の説明】
１    室外機の室内機よりの排水管取り付け口
２    室外機本体
３    水が滴下するようになった水受け皿
４    コンプレッサー
５    室外機熱交換器
６    室内機本体
７    冷媒配管
８          配水管
【図１】
2004340501.tif 000003
【図２】
2004340501.tif 000004
【図３】
2004340501.tif 000005
【図４】
2004340501.tif 000006
(57)【要約】【課題】空気調和機の室内ユニットのドレンパンのドレン水を完全に除去してドレンポンプの作動不良を解消する。【解決手段】室内機ユニットの筐体１０内には、ドレンパン３０が配置されていて、熱交換器２２の表面で露結したドレン水を受け入れる。ドレンパンの底面部３２の一部は、凹部に形成されて、溜まり部３４を構成している。ドレンポンプ５０は、ポンプ本体５１を有し、本体５１の吸込口５２は、ドレンパン３０の溜まり部３４に対向した位置に配置される。ポンプ本体５１内には、回転羽根が装備され、モータ６０の出力軸６４により駆動される。モータ６０は、コード６２を介して給電される。本発明の空気調和機にあっては、ドレンポンプ５０に隣接して、電気ヒータ１００を備えている。【選択図】        図１
2004340523.tif 000002
【特許請求の範囲】
【請求項１】
熱交換器と、送風ファンと、熱交換器で露結した水を受けるドレンパンと、ドレンパンのドレン水を排出するドレンポンプを備えた空気調和機であって、
ドレンパンは、底部に形成されたドレン水の溜まり部を有し、溜まり部内に配設される電気ヒータを備える空気調和機。
【請求項２】
電気ヒータは、ドレンポンプから給電を受ける請求項１記載の空気調和機。
【請求項３】
電気ヒータは、ドレンポンプがオフとなったときにオンとなる請求項１記載の空気調和機。
【発明の詳細な説明】
【０００１】
【発明の属する技術分野】
本発明は、熱交換器で凝縮したドレン水を受けて溜めるドレンパンを有する空気調和機に関する。
【０００２】
【従来の技術】
例えば、室内の天井に埋込む形式の空気調和機にあっては、空気調和機の熱交換器の表面で凝縮されたドレン水を受け止めて溜めるドレンパンが装備される。
そして、このドレンパンに溜るドレン水を室外へ排水するためのドレンポンプが設けられる。
この種のドレンポンプを備えた空気調和機は、例えば特許文献１に開示されている。
【０００３】
【特許文献１】
特開平８−３１２９８５号公報
【０００４】
【発明が解決しようとする課題】
この排水用ドレンポンプは、エアコンをオフ後エバポレータからの落水がほぼ完了した時点でストップし排水を完了するように設定されている。
ドレンポンプがストップすると、立ち上がり配水管およびポンプ内のドレン水はドレンパンに戻り、ドレンパンに水が溜った状態で放置される。
【０００５】
この放置された水は、大気中の微細な埃や異物、細菌などが混入されていて、時間経過と共にドレン水の温度は室温または、屋根裏の温度（２０〜５０℃）になり細菌が繁殖しやすく生成物、微生物の排泄物、例えばスライム状の高粘性物を含んだ流体に変化し、メンテナンスしても、１〜２ヶ月で再生する。
【０００６】
また、抗菌剤を使用しても、時間と共に効果が落ちることや、ドレンパンの表面が水垢などで覆われると効果が減少する。
この生成物を含んだ高粘性物は、ドレンポンプの吸込口や吐出口を塞排水不能となったり、羽根をロックしたり、回転速度を著しく低下させ、排水できないなどの不具合を発生することがある。
そこで本発明は、上述した不具合を解消する空気調和機を提供するものである。
【０００７】
【課題を解決するための手段】
本発明の空気調和機は、熱交換器と、送風ファンと、熱交換器で露結した水を受けるドレンパンと、ドレンパンのドレン水を排出するドレンポンプを備え、ドレンパンは、底部の一部に凹部に形成されたドレン水の溜まり部を有し、溜まり部内に配設される電気ヒータを備える。そして、電気ヒータは、ドレンポンプから給電を受け、ドレンポンプがオフとなったときにオンとなるものである。
【０００８】
【発明の実施の形態】
図１は、本発明の実施の形態を示す説明図である。
全体を符号１で示す空気調和機は、室内機の筐体１０を有し、室内機の筐体内には、室内機ユニット２０が装備される。
室内機ユニット２０は、熱交換器２２、ファン２４を有し、熱交換された空気を室内に送り出す。
【０００９】
筐体１０内には、ドレンパン３０が配置されていて、熱交換器２２の表面で露結したドレン水を受け入れる。ドレンパンの底面部３２の一部は、凹部に形成されて、溜まり部３４を構成している。
【００１０】
ドレンポンプ５０は、ポンプ本体５１を有し、本体５１の吸込口５２は、ドレンパン３０の溜まり部３４に対向した位置に配置される。
ポンプ本体５１内には、回転羽根が装備され、モータ６０の出力軸６４により駆動される。
【００１１】
回転羽根で加圧されたドレン水は、吐出口５４からホース５６を通って、室内機の外部へ排出される。
モータ６０は、コード６２を介して給電される。本発明の空気調和機にあっては、ドレンポンプ５０に隣接して、電気ヒータ１００を備えている。
【００１２】
図２は、電気ヒータ１００の詳細を示す。電気ヒータ１００は、平行する２本のパイプ部１０２と、パイプ部１０２の先端に接続される加熱部１１０を有する。加熱部１１０は、例えば円弧形状に形成され、内部にヒータユニットが装備される。
ヒータユニットは電力で加熱され、コード１３０を介してドレンポンプのモータ側から給電される。
制御部１２０は、ヒータユニット１１０への給電を制御する。
【００１３】
図３は、本発明の空気調和機の運転のタイムチャートである。
ドレンパン３０の溜まり部３４内にドレン水が溜まると、液面計等により水位が検出され、ドレンポンプが作動する場合や空気調和機の運転と同時にドレンポンプが運転する場合をオン（ＯＮ）としている。ドレンパン内のドレン水の排水が終了すると、ドレンポンプは停止、即ちオフ（ＯＦＦ）となり、電気ヒータ１００がオン（ＯＮ）となる。ヒータユニット１１０は加熱され、溜まり部３４に残ったドレン水は蒸発する。ドレン水が無くなると、ヒータユニット１１０の温度は上昇する。サーモスタット等のセンサはこの温度上昇を検知してヒータユニットへの通電をオフにする。
【００１４】
【発明の効果】
本発明の空気調和機は以上のように、室内機のドレンパンに溜まるドレン水をドレンポンプで排出するとともに、ドレンパンの溜まり部に残るドレン水を電気ヒータにより強制的に加熱処理する。この加熱により、残留したドレン水中での細菌等の繁殖が防止される。
【００１５】
さらに、ドレン水を蒸発させることにより、生成物を除去し、ドレンパン内を清潔に保つことができる。
したがって、ドレンポンプの作動不良も防止され、また、室内空気の清浄化を図ることができる。
【図面の簡単な説明】
【図１】本発明の空気調和機の構成を示す説明図。
【図２】電気ヒータの説明図。
【図３】本発明の作用を示す説明図。
【符号の説明】
１  空気調和機
１０  室内機の筐体
２０  室内機ユニット
２２  熱交換器
２４  ファン
３０  ドレンパン
３４  溜まり部
５０  ドレンポンプ
６０  モータ
１００  電気ヒータ
【図１】
2004340523.tif 000003
【図２】
2004340523.tif 000004
【図３】
2004340523.tif 000005
(57)【要約】【課題】移動する通路に沿って粘着性を有する固体を運送する設備であって、固体の運送の遮断又は制限に伴うトラブルを防止し、よって極めて安定的に粘着性固体を運送することができるという優れた特徴を有する粘着性固体の運送設備を提供する。【解決手段】移動する通路に沿って粘着性を有する固体を運送する設備であって、エアーカーテンにより固体の運送を遮断又は制限する粘着性固体の運送設備。具体的実施態様として、粘着性固体が合成ゴムのクラムである運送設備、移動する通路が振動篩及び／又は振動コンベアで構成されている運送設備、合成ゴムのクラムを脱水機から計量機へ運送する運送設備等をあげることができる。【選択図】      図１
2004189408.tif 000002
【特許請求の範囲】
【請求項１】
移動する通路に沿って粘着性を有する固体を運送する設備であって、エアーカーテンにより固体の運送を遮断又は制限する粘着性固体の運送設備。
【請求項２】
粘着性固体が合成ゴムのクラムである請求項１記載の運送設備。
【請求項３】
移動する通路が振動篩及び／又は振動コンベアで構成されている請求項１記載の運送設備。
【請求項４】
合成ゴムのクラムを脱水機から計量機へ運送する請求項１記載の運送設備。
【発明の詳細な説明】
【０００１】
【発明の属する技術分野】
本発明は、粘着性固体の運送設備に関するものである。更に詳しくは、本発明は、移動する通路に沿って粘着性を有する固体を運送する設備であって、固体の運送の遮断又は制限に伴うトラブルを防止し、よって極めて安定的に粘着性固体を運送することができるという優れた特徴を有する粘着性固体の運送設備に関するものである。
【０００２】
【従来の技術】
たとえば、合成ゴムのクラムのような粘着性固体を所定の位置から所定の位置に運送する場合に、振動篩及び／又は振動コンベアを用いる方法は知られている（たとえば、特許文献１参照。）。ここで、固体の運送を遮断し又は制限する必要が生じる。このような場合、ゲート板等で固体の移動を止め又は制限する方法がある。しかしながら、この方法によると、ゲート板に粘着性固体がくっつき、運送を再開するときにスムーズに行なうことができないという問題があった。
【０００３】
【特許文献１】
特開平７−３２７５９８号公報
【０００４】
【発明が解決しようとする課題】
かかる現状において、本発明が解決しようとする課題は、移動する通路に沿って粘着性を有する固体を運送する設備であって、固体の運送の遮断又は制限に伴うトラブルを防止し、よって極めて安定的に粘着性固体を運送することができるという優れた特徴を有する粘着性固体の運送設備を提供する点にある。
【０００５】
【課題を解決するための手段】
すなわち、本発明は、移動する通路に沿って粘着性を有する固体を運送する設備であって、エアーカーテンにより固体の運送を遮断又は制限する粘着性固体の運送設備に係るものである。
【０００６】
【発明の実施の形態】
本発明における粘着性を有する固体としては、合成ゴムのクラム、ガム、餅等をあげることができる。なお、合成ゴムのクラムとは、ＥＰＤＭ（エチレン−プロピレン−非共役ジエン共重合体）の他に、ブチルゴム、ブタジエンゴム、イソプレンゴム、スチレンブタジエンゴム、クロロプレンゴム、天然ゴム、１，２―ポリブタジエン、アクリロニトリルーブタジエンゴム、エチレンプロピレンゴム、アクリルゴム、クロロスルフォン化ポリエチレン等のことである。クラムの大きさは５〜５０ｍｍ程度である。
【０００７】
移動する通路とは、所定の場所から所定の場所に至る通路であり、振動篩、振動コンベア、ベルトコンベア等で構成されている。なお、粘着性を有する観点から、振動コンベアが好ましい。
【０００８】
エアーカーテンとは、エアーを噴射してカーテンを形成するものである。本発明は、粘着性固体の全部又は一部の移動をエアーカーテンで阻止するものであり、ゲート板などを用いる方法のようなくっつきの問題は発生しない。
【０００９】
輸送の速度は、通常０．１〜１．０ｍ／ｓ程度であり、エアーの風速は通常２〜２００ｍ／ｓ程度である。なお、エアーカーテンとはいうものの、流体としては必ずしもエアー（空気）を用いる必要はなく、窒素、蒸気等であってもよい。
【００１０】
本発明の設備を最適に用いることができる具体例としては、合成ゴムのクラムを脱水機から計量機へ運送する設備をあげることができる。
【００１１】
【実施例】
次に、実施例により、本発明を説明する。
実施例１
図１の設備を用いた。合成ゴム（エチレン−プロピレン−非共役ジエン共重合体）のクラム（大きさ２０ｍｍ）を脱水機から計量機へ運送する振動コンベアの側面図である。合成ゴムのクラムを振動コンベアの振動によって運送する設備であって、エアーカーテンにより運送を遮断又は制限することによりくっつきトラブルを防止した。輸送の速度は０．３ｍ／ｓであり、エアーの風速は１０ｍ／ｓである。エアーカーテンの流体としてエアー（空気）を用いた。
【００１２】
比較例１
実施例１のエアーカーテンに代えて、ゲート板を用いた。その結果、ゲート板に合成ゴムのクラムがくっつき、運送を再開するときにスムーズに行なうことができないという問題が発生した。
【００１３】
【発明の効果】
以上説明したとおり、本発明により、移動する通路に沿って粘着性を有する固体を運送する設備であって、固体の運送の遮断又は制限に伴うトラブルを防止し、よって極めて安定的に粘着性固体を運送することができるという優れた特徴を有する粘着性固体の運送設備を提供することができた。
【図面の簡単な説明】
【図１】実施例１で用いた設備の概略図である。
【図２】比較例１で用いた設備の概略図である。
【符号の説明】
１  振動コンベア
２  エアーカーテン
３  合成ゴムのクラム
４  ゲート板
【図１】
2004189408.tif 000003
【図２】
2004189408.tif 000004
(57)【要約】【課題】本発明の目的は、昇降路上部に設けられた制御装置の点検時の保守員の安全を確実に保障することのできるエレベーター装置を提供するにある。【解決手段】乗場２０に設けられるかご呼び装置２５と、昇降路１内に沿って運転される乗かご２と、この乗かご２を駆動する巻上機５と、前記昇降路１頂部に設けられ前記乗かご２の運転を制御する制御装置１６とを備えたエレベーター装置において、前記乗場２０に前記制御装置１６を設け、かつ、前記乗場２０に、前記制御装置１６点検時、前記乗かご２を、前記乗かご２上に乗って保守点検できる位置に移動するよう指示させる保守装置１７を設けた構成。【選択図】      図１
2004189419.tif 000002
【特許請求の範囲】
【請求項１】
乗場に設けられるかご呼び装置と、昇降路内に沿って運転される乗かごと、この乗かごを駆動する巻上機と、前記昇降路頂部に設けられ前記乗かごの運転を制御する制御装置とを備えたエレベーター装置において、
前記乗場近傍の昇降路に前記制御装置を設け、かつ、前記乗場に、前記制御装置点検時、前記乗かごを、前記乗かご上に乗って保守点検できる位置に移動するよう指示させる保守装置を設けたことを特徴とするエレベーター装置。
【請求項２】
前記保守装置を、前記乗場に備えられたかご呼び装置に備えたこと特徴とする請求項１記載のエレベーター装置。
【請求項３】
前記乗かごを、前記制御装置が近傍に設けられている乗場に停止し、この乗かごの停止された乗場のかご呼び装置に、前記保守装置を設けたことを特徴とする請求項２記載のエレベーター装置。
【発明の詳細な説明】
【０００１】
【発明の属する技術分野】
本発明は、昇降路頂部に設けられる制御装置点検時用いられて好適なエレベーター装置に関する。
【０００２】
【従来の技術】
最近、機械室レスエレベーターにおいて、昇降路頂部に設けられた制御装置を安全に点検するため、乗かご上に乗った保守員が、手動運転スイッチを操作して乗かごを上昇させた時、一旦強制的にエレベーターを停止し、その後、低速で点検位置まで移動するものが提案されている。（例えば、特許文献１参照）
【０００３】
【特許文献１】
特開２００２-１１４４６２号公報（段落番号１５，１６、図２）
【０００４】
【発明が解決しようとする課題】
しかし、上記提案されたものでは、保守員が乗かご上で運転するため、低速とはいえ安全とは言えない問題があった。
【０００５】
本発明の目的は、保守員の安全を確実に保障することのできるエレベーター装置を提供するにある。
【０００６】
【課題を解決するための手段】
上記目的を達成するため本発明では、乗場に設けられるかご呼び装置と、昇降路内に沿って運転される乗かごと、この乗かごを駆動する巻上機と、前記昇降路頂部に設けられ前記乗かごの運転を制御する制御装置とを備えたエレベーター装置において、前記乗場近傍の昇降路に前記制御装置を設け、かつ、前記乗場に、前記制御装置点検時、前記乗かごを、前記乗かご上に乗って保守点検できる位置に移動するよう指示させる保守装置を設けたことを特徴とする。
【０００７】
【発明の実施の形態】
以下本発明のエレベーター装置を、一実施の形態になる図に基づいて説明する。
図１は本発明の一実施形態になるエレベーター装置を備えたエレベーターを示す全体側面図である。
【０００８】
図１において、１は昇降路、２は昇降路１内に沿い上下方向に運転される乗かご、３は吊り合いおもり、４は昇降路１の底部に固定されたピットベースで、このピットベース４には巻上機５が設置されている。更に、前記ピットベース４上には、かご側ガイドレール６およびつり合いおもり側ガイドレール７が立設され、これらガイドレール６、７は、記載していないレールブラケットにより昇降路１に固定されている。８は前記ガイドレール６、７の上部に固定された懸垂用ビームで、この懸垂用ビーム８には案内プーリ９および１０が設置されている。１１は主策で、この主策１１の一端は懸垂ビーム８に設置された乗かご２側主索固定部１２から下方の乗かご２下部案内プーリ１３を経て上部案内プーリ９から巻上機５のシーブに至り、更に上部案内プーリ１０から吊り合いおもり３の案内プーリ１４を介して上部懸垂ビーム８のつり合いおもり側主索固定部１５に固定されている。
【０００９】
１６は最上階乗場２０近傍の昇降路１に設けられた乗かご２の運転の制御を行う制御装置、１７は保守装置で、この保守装置１７には最上階乗場２０に設けられたスイッチ１８が配線１９を介して連結されている。２１は前記乗かご２に設けられたカム、２２は前記昇降路１の上部に設けられた停止スイッチで、この停止スイッチ２２は前記保守装置１７が操作された時のみ動作するようになっている。２３は最下階乗場、２４、２５は各階の乗場に設けられたかご呼び装置で、最上階のかご呼び装置２４内に前記スイッチ１８が設けられている。
【００１０】
しかして今、制御装置１６を点検するに当たり、保守員は制御装置１６が近傍の昇降路１に設けられている最上階の乗場２０に乗かご２に乗り移動する。次いで、保守員は最上階乗場２０に降り、かご呼び装置２５に取付けられたスイッチ１８を操作する。このスイッチ１８の操作により配線１９を介して保守装置１７が動作し、制御装置１６を介して最上階の位置から降下を始め、保守員が乗かご２上に乗って点検するにふさわしい位置に到達した時作動するスイッチ２２を動作して乗かご２を停止させる。この乗かご２が停止した後、最上階乗場２０の乗場ドア（図示せず）を保守員が開き、乗かご２上に乗り、制御装置１６の保守作業を行う。
【００１１】
このように、乗場２０側からスイッチ１８の操作で乗かご２を操作するため、安全に乗かご２の運転を行うことができる。
【００１２】
また、スイッチ１８をかご呼び装置２５に設けたが、独自に設けても良い。しかし、実施形態の如くかご呼び装置２５に設けるなら、取付のスペースを新たに設ける必要がなく意匠性を向上することができる。
【００１３】
なお、この実施形態では、最上階乗場２０に乗かご２の上部が停止するようになっているが、制御装置１６の長さあるいは取付の状態によっては、最上階より下方の階で乗かご２上に乗るのが最適な場合、その最適な階で停止するようになっている。
【００１４】
なお又、この実施形態では、最上階の乗場２０にスイッチ１８を設けたが、他の階の乗場に設けても同様の効果を得ることができる。しかし、他の階に設けた場合、保守員は乗かご２上に乗る階まで歩く必要があるが、乗かご上に乗ることのできる乗場階に設けた場合には、歩く必要がないという効果を得ることができる。
【００１５】
【発明の効果】
本発明によれば、乗かご上に乗らずに乗かごを制御装置を点検するにふさわしい位置まで移動させることができるため、保守員の安全を確実に保障することができるという顕著な効果を達成することができる。
【図面の簡単な説明】
【図１】本発明の一実施形態になるエレベーター装置を備えたエレベーターを示す全体側面図である。
【符号の説明】
１     昇降路
２     かご
３     吊り合いおもり
５    巻上機
１１    主策
１６    制御装置
１７    保守装置
１８    スイッチ
２０    最上階乗場
２５    かご呼び装置
【図１】
2004189419.tif 000003
(57)【要約】【課題】○電車やバスのつり革はいろんな人が触る為不衛生で触りたくない人が多い○背の低い老人や子供は手が届かない○大人でも混雑時には手が届かない場合が有り危険である○どこにも掴まらずに立っているのは空いている時でも混雑時でも危険である○混雑時には手の届く位置につり革があっても、数が足らずどこにも掴まらずに立っているのは周りに迷惑をかけるし危険である【解決手段】○自分専用のつり革で潔癖症の人でもつり革を使用出切るようにする○背の低い人でも自分に調度良い長さのつり革があれば良い○混雑時には既存のつり革を複数人で使用出来れば良い【選択図】図１
2004189198.tif 000002
【特許請求の範囲】
【請求項１】
電車やバスのつり革に取り付け、衛生的かつ安全で誰にでもちょうど良い長さで使用出切るつり革にする為の物
【発明の詳細な説明】
【０００１】
【発明の属する技術分野】電車やバスのつり革に通す、もしくわ括り付け直接つり革を握らずに済む為に衛生的で安全
【０００２】
【従来の技術】現在電車やバスのつり革は固定されていて長さも均一である
【０００３】
【発明が解決しようとする課題】○いろいろな人が触る為不衛生である
○背の低い人は届かない
○身長が足りていても混雑時には手が届かない場合もある
○どこにもつかまらずに立っているのは危険
○混雑時にはつり革の数が足りない
【０００４】
【課題を解決する為の手段】この補助具を使いつり革に直接触れないようにし、自分に調度良い長さで使用する
【０００５】
【発明実施の形態】
【実施例】実際に電車で使用していて一寸目を離した隙に隣の女性が「あらっ！調度良い物があった」とこれを掴んだ
【０００６】
【発明の効果】○潔癖症でどこにも掴まりたがらない人は今まで揺れる車内で危険であったが、これを使う事によりつり革を誰でも利用出来、安全
○背の低い人でも自分に調度良い長さのつり革をいつでも使用出切る
○混雑時には１つのつり革を複数人で使用する事も可能になる
【図面の簡単な説明】
【図１】商品全体図
【図２】短くして使用する時の図。
つり革の輪に通して２つのゴム製の部分（▲３▼）を握る
【図３】長くして使用する場合の図。
図２の要領でつり革に通し、さらにこの商品どおしの内側を通した一方だけを握る
【符号の説明】
▲１▼、丈夫で伸び縮みしないあつでのナイロン製が良いが、フエルトでも良い
▲２▼、ベルトのバックルの様な物、丈夫なプラスチック製で軽量な物、ここで長さを調整出来る
▲３▼、▲１▼をぐるっと包んでいてスライド出来る様になっている、手が滑らないようゴム製。
ここを握る事で間接的にもつり革に触れずに済む
図３の様に長くして使用する場合は１つをはずす事も出来る
【図１】
2004189198.tif 000003
【図２】
2004189198.tif 000004
【図３】
2004189198.tif 000005
(57)【要約】［課題］          人が自動車に乗り降りする際に、雪や雨に濡れなくて済むように自動車のルーフ部分とドアの上部にシートを取付けた、自動的に開閉する傘を提供する。［解決手段］      ルーフ部分（１）とドアの上部（２）にシート（３）を扇子の開閉の状態の要領で取付け、人や物が雪や雨に濡れないように防ぐカー  アンブレラを設けたことを特徴とする。【選択図】        図１
2004189200.tif 000002
【特許請求の範囲】
【請求項１】
ルーフ部分（１）とドアの上部（２）にシート（３）を扇子の開閉の状態の要領で取付け、人や物が雪や雨により濡れないように防ぐカー  アンブレラ。
【発明の詳細な説明】
【０００１】
［産業上の利用分野］
この考案は、自動車に乗り降りする際の快適性を向上するものである。
【０００２】
［従来の技術］
従来の自動車のドアは、単に開閉するだけのものであった。
【０００３】
［発明が解決しようとする課題］
従来の自動車のドアでは、開閉時に雪や雨が降っていると人や物が濡れてしまった。
又、通常の傘を使用しても乗る時は傘を閉じてドアを閉めるまでに濡れてしまう。
そして、降りる時は傘を開くまでに濡れてしまう。  という問題点があった。
【０００４】
［課題を解決するための手段］
ルーフ部分（１）とドアの上部（２）にシート（３）を扇子の開閉の状態の要領で取付け、人や物が雪や雨を弾く素材を使用して濡れないように防ぐ、自動車の防雪・防雨ドア  つまり、カー  アンブレラを取り付ける。
【０００５】
［発明の実施の形態］
ルーフ部分（１）とドアの上部（２）にシート（３）を扇子の開閉の状態の要領で取付け、雪や雨を弾く素材を使用して人や物がら濡れないように防ぐ、カー  アンブレラを取り付けたものである。
【０００６】
［発明の効果］
ドアを片手で開くだけで、自動的に傘が開閉できる仕組みなので人が乗り降りする際に雪や雨に濡れなくて済む。          。
特に赤ちゃんをチャイルドシートに乗せたり、チャイルドシートから降ろすときや介護を必要とする年配の方が乗降する際に従来の傘を手で持つ必要が無くなるので両手を使えるので、とても便利である。
【図面の簡単な説明】
【図  １】本発明の斜視図である。
【図１】
2004189200.tif 000003
(57)【要約】【課題】タイヤの爆発防止ゲイン増加構造の提供。【解決手段】タイヤ本体１０の内面両側の凸環部１０１と予備タイヤ体２０の凹環部２０３に一層の樹脂が塗布されて相互に貼り合わされ、さらにボルト３０が予備タイヤ体２０のネジ孔２０１に挿入され並びに凸環部１０１にねじ込まれて固定し、別にボルト３０がタイヤ本体１０の凸環部１０１の凹孔に圧入、貫通させられて予備タイヤ体２０にねじ込まれて固定し、並びに一つのリム５０でタイヤ本体１０と結合されて一つのタイヤを形成し、タイヤに対する充気使用が可能となる。タイヤ本体１０が破壊を受ける時、予備タイヤ体２０がタイヤを支持して車両を修理工場まで運転できる。【選択図】        図２
2004189176.tif 000002
【特許請求の範囲】
【請求項１】
タイヤの爆発防止ゲイン増加構造において、
タイヤ本体とされ、内面両側に、部品のボルト固定に供される凸環部が凸設されて、該凸環部に複数の凹孔が設けられ、その内部の中間層にスチールワイヤと合成糸が埋め込まれて強化されている、上記タイヤ本体と、
環状の予備タイヤ体とされ、一側に凹環部が設けられ、並びに複数のネジ孔と気孔が設けられ、底部に凸紋が設置され、該気孔が該予備タイヤ体の放熱を補助する、上記予備タイヤ体と、
を具え、タイヤ本体の内面両側の凸環部と予備タイヤ体の凹環部に一層の樹脂が塗布されて相互に貼り合わされ、ボルトが予備タイヤ体のネジ孔に挿入され並びに凸環部にねじ込まれ、別にボルトがタイヤ本体の凸環部の凹孔に圧入、貫通させられて予備タイヤ体にねじ込まれ、並びに一つのリムでタイヤ本体と結合されて充気使用が可能なタイヤを形成し、タイヤ本体が破壊を受ける時、予備タイヤ体がタイヤを支持して車両を修理工場まで運転できるようにすることを特徴とする、タイヤの爆発防止ゲイン増加構造。
【発明の詳細な説明】
【０００１】
【発明の属する技術分野】
本発明は一種のタイヤの爆発防止ゲイン増加構造に係り、特にタイヤが尖ったもの或いは刃物で破壊されて漏気、爆発するのを防止し、続いて安全に修理工場まで運転して修理することができるようにし、車を押す苦労や生命の危険を無くし、大衆の運転の安全を増進する効果を有する、タイヤの爆発防止ゲイン増加構造に関する。
【０００２】
【従来の技術】
一般にタイヤは内側にチューブを具えたものと、チューブを具備しない高速タイヤの二種類があり、これらのタイヤは外物による破壊を防止する手段を具備しない。チューブを具えたタイヤはチューブに充気して張力を形成し、タイヤを拡張させて運転できるタイヤとする。しかし、このタイヤが尖ったものや刃物による突き刺し、破壊を受けると空気漏れして運転不能となり、車を押す苦労が生じ、また、高速で運転中にタイヤが破壊されると、事故を発生する危険がある。一方、高速タイヤは外物が突き刺さっても即刻漏気することはなく、修理工場まで運転するのに十分な時間を有するが、高速タイヤは不幸にも往々にしてその特性のために尖ったものがタイヤに突き刺さっても明らかなタイヤ圧力不足が起こらないため、運転者がそれに気づかずに高速道路を運転している途中に、タイヤが急速に漏気して事故を派生し生命を脅かす恐れがある。
【０００３】
【発明が解決しようとする課題】
本発明は、周知のタイヤの欠点を鑑み、構造が極めて簡単で、タイヤに尖った物が突き刺さったり、刃物で破壊されてもその漏気爆発を防止でき、続けて安全に修理工場まで車を運転でき、車を押す苦労や生命の危険を発生せず、大衆の運転の安全を増進する、一種のタイヤの爆発防止ゲイン増加構造を提供することを目的としている。
【０００４】
【課題を解決するための手段】
請求項１の発明は、タイヤの爆発防止ゲイン増加構造において、
タイヤ本体とされ、内面両側に、部品のボルト固定に供される凸環部が凸設されて、該凸環部に複数の凹孔が設けられ、その内部の中間層にスチールワイヤと合成糸が埋め込まれて強化されている、上記タイヤ本体と、
環状の予備タイヤ体とされ、一側に凹環部が設けられ、並びに複数のネジ孔と気孔が設けられ、底部に凸紋が設置され、該気孔が該予備タイヤ体の放熱を補助する、上記予備タイヤ体と、
を具え、タイヤ本体の内面両側の凸環部と予備タイヤ体の凹環部に一層の樹脂が塗布されて相互に貼り合わされ、ボルトが予備タイヤ体のネジ孔に挿入され並びに凸環部にねじ込まれ、別にボルトがタイヤ本体の凸環部の凹孔に圧入、貫通させられて予備タイヤ体にねじ込まれ、並びに一つのリムでタイヤ本体と結合されて充気使用が可能なタイヤを形成し、タイヤ本体が破壊を受ける時、予備タイヤ体がタイヤを支持して車両を修理工場まで運転できるようにすることを特徴とする、タイヤの爆発防止ゲイン増加構造としている。
【０００５】
【発明の実施の形態】
本発明のタイヤの爆発防止ゲイン増加構造は、
タイヤ本体１０とされ（図１参照）、内面両側に、部品のボルト固定に供される凸環部１０１が凸設されて、該凸環部１０１に複数の凹孔が設けられ、その内部の中間層にスチールワイヤと合成糸が埋め込まれて強化されている、上記タイヤ本体１０と、
環状の予備タイヤ体２０とされ、一側に凹環部２０３が設けられ、並びに複数のネジ孔２０１と気孔２０２が設けられ、底部に凸紋が設置され、該気孔２０２が該予備タイヤ体２０の放熱を補助する、上記予備タイヤ体２０と、
を具えている。
【０００６】
図１、２に示されるように、タイヤ本体１０の内面両側の凸環部１０１と予備タイヤ体２０の凹環部２０３に一層の樹脂が塗布されて相互に貼り合わされ、さらにボルト３０が予備タイヤ体２０のネジ孔２０１に挿入され並びに凸環部１０１にねじ込まれて固定し、別にボルト３０がタイヤ本体１０の凸環部１０１の凹孔に圧入、貫通させられて予備タイヤ体２０にねじ込まれて固定し、並びに一つのリム５０でタイヤ本体１０と結合されて一つのタイヤを形成し、タイヤに対する充気使用が可能となる。タイヤ本体１０が破壊を受ける時（図３参照）、予備タイヤ体２０がタイヤを支持して車両を修理工場まで運転できるようにする。
【０００７】
【発明の効果】
本発明は確実にタイヤの突き刺しを受けることによる爆発を防止し、運転の安全を確保する機能を達成し、またその構造は簡単で、未だ公開、使用されておらず、実用性、新規性、進歩性を具備している。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明のタイヤの立体断面分解図である。
【図２】本発明のタイヤの組み合わせ後の立体断面図である。
【図３】本発明のタイヤの漏気形態と予備タイヤ体がタイヤを支持する状態を示す断面図である。
【符号の説明】
１０  タイヤ本体
１０１  凸環部
２０  予備タイヤ体
２０３  凹環部
２０１  ネジ孔
２０２  気孔
５０  リム
３０  ボルト
【図１】
2004189176.tif 000003
【図２】
2004189176.tif 000004
【図３】
2004189176.tif 000005
(57)【要約】【課題】従来、歯周病は歯科医による治療などで対処するのが通常であるが、この場合回復まで時間がかかるため治療する時間が取れない場合が多い。また、歯周病の予防は毎日の歯ブラシによる歯磨きに加え、定期的な歯科医院でのチェックと簡単な清掃が基本的な方法であった。しかしながらこのような方法で、完全に予防できないこともあった。【解決手段】本発明は、歯周病の予防を重水素減少水（スーパーライトウォーター）を含んだ歯磨き粉によって、より効果的に行なうことである。【特許請求の範囲】
【請求項１】
水と、１４９ｐｐｍ以下の含有量の重水素を有し、又は、活性剤として、１４９ｐｐｍ以下の含有量の重水素を含み、担体又は助剤と共に、製薬学的な製品或いは医薬溶液の形での、ヒトに適する水性溶液である、重水素減少水（スーパーライトウォーター）を含んだ歯磨き粉による歯周病の予防方法。
【発明の詳細な説明】
【０００１】
【発明の属する技術分野】
本発明は、歯周病の予防を重水素減少水（スーパーライトウォーター）を含んだ歯磨き粉によっておこなうものである。
【０００２】
【従来の技術】
一般に歯周病は、歯科医による治療などで対処するのが通常であるが、この場合回復まで時間がかかる。
【０００３】
【発明が解決しようとする課題】
しかしながら現実において、歯周病を治療する時間が取れない場合が多い。
【０００４】
【課題を解決するための手段】
本発明者等は係る課題を解決するために鋭意研究したところ、歯周病の予防のための重水素減少水（スーパーライトウォーター）を含んだ歯磨き粉を開発して、本発明を提供するものである。
【０００５】
すなわち本発明は、歯を磨くさい歯周病予防に最適な濃度の重水素減少水（スーパーライトウォーター）を含んだ歯磨き粉を使用することを特徴とする。
【０００６】
【発明の実施の形態】
本発明は重水素減少水（スーパーライトウォーター）を製造段階で歯磨き粉に含ませ、歯磨きをすることにより効果が表れる。
【０００７】
歯磨きをする回数は、個人差はあるが１日２回ぐらいが最適である。
【０００８】
以下実施例をもって本発明を詳細に説明するが、本発明の範囲はこれに限定されるものではない。
【０００９】
【実施例１】
１日２回ぐらい、重水素減少水を含んだ歯磨き粉で歯磨きをする。
【００１０】
年齢が高くなっても歯周病が発生しない。
(57)【要約】【目的】本発明は芳香性肉質の茸類に含まれる人間にとって有益な成分、特に抗癌性の物質であるアミノ酸や希少成分である芳香成分を松茸、初茸、椎茸、舞茸などの茸類から成分を劣化させずに抽出し、濃縮し、精製する為の化学抽出の基本技術に関するものです。【構成】芳香性肉質の茸類の加熱の上限をプラス３０度、低温の下限をマイナス６０度の超低温域に設定し、エタノール性溶液内で飽和、凝縮させながら滲出し、濃縮し、自然に近い成分組成として抽出する化学技術です。【特許請求の範囲】
【請求項１】
芳香性肉質の茸類を原料としてプラス上限３０度Ｃからマイナスの超低温域で温度を制御し成分を分離し抽出する成分エキスの精製加工法
【発明の詳細な説明】
【０００１】
〔産業上の利用分野〕
この発明は茸類の成分が癌細胞に抑制効果があるとして確認されている現在、成分中に含まれる芳香成分、アミノ酸、多糖類等の固有成分を自然に近い状態で即ち酸化や化学変化による成分劣化の少ないレベルで抽出し濃縮精製し静注や輸液に加工し副作用を伴わない抗癌剤を開発するものです。
【０００２】
〔従来の茸類エキスの抽出方法〕
茸類の成分の抽出方法は熱水に茸を入れ、４気圧そして１３０度の高温で不要な蛋白質や、芳香成分を除去する熱水抽出法が広く行われています。主に成分中に含まれているβ、ベーターグルカン類を採り出せばよいという考え方でした。
このような熱水と加圧による抽出方法では芳香性の茸類に含まれる希少成分は加熱によって化学変化つまり酸化し茸の固有成分が劣化してしまいます。製薬の業界や、各大学の研究室などではこのような方法で茸の成分抽出を行っております。
本発明ではこれまでの抽出方法とは根本的に異なり、対照的な超低温域、−２０度Ｃ〜−６０度Ｃの水温域で茸に含まれる固有成分を凍結し、成分を分離した後に抽出する方法です。
【０００３】
〔本発明の抽出技術〕
本発明の抽出技術では前項で部分的に述べましたが、その考え方にこれまでの抽出方法とは異なりますのであらかじめ茸類の特性について若干、説明致しておきます。
茸類は大型の菌類、つまり黴の仲間です。成育の為の栄養の摂取方法によって、（１）木材腐朽菌、（２）多孔菌科、（３）菌根菌科と大別して（３）つに分かれます。（１）の木材腐朽菌というのは椎茸など（２）の多孔菌科というのは通称サルノコシカケ科の茸です。舞茸カワラ茸などを指します。
（３）の菌根菌というのは例えば松茸などのように地中で松の根と茸の毛根が互いに結びついている茸です。
ですから菌類の成分を化学抽出するには各々の茸類の属する科や類別によって処理しなければいけないのです。茸類や植物には成育時に吸収する水分とは別にそれぞれの生物の組成による成分が遺伝子としてイオン化して存在します。人間の遺伝子と同じです。我々人間が食べる食材、例えばカボチャを醤油や、砂糖、みりんを加えて煮付けてもやはりカボチャ特有の味や香りが残ります。又もし乾燥させても固有の味に変わりはありません。本発明ではこのような事実を基に生物自体の固有成分を損なわずに抽出を行う方法です。
超低温域を下限−２０度Ｃから−６０度Ｃの域内に設定し、上限を＋３０度Ｃに設定し、各々、冷凍及び保恒します。上限の保恒温度を＋３０度Ｃに設定するのは酸化作用を防ぐ為のギリギリの許容温度です。茸は解凍と併せて保恒を一定時間行い、保恒の際には３０％のエタノール（Ｃ２Ｈ５０Ｈ）に較水を加えた水溶液です。
【０００４】
〔実験の詳細な説明〕
実験にはカナダ産の松茸５キログラムを用いました。産地は異なっても菌根菌類の松茸で同種です。但し国産の松茸よりは芳香分が少ないのですが肉質です。いしづき部分をカットし、泥などを落とし縦割りに大きくカットします。次にプら容器に入れて冷凍します。設定温度は超低温域の−４０度Ｃにします。時間は約数時間で十分ですが、例えば夕方から翌朝迄と特に時間に制限はありません。
冷凍された茸はコチンコチンに固くなっていますが解凍を兼ねてエタノール３０％の水溶液に浸します。実験では茸５キログラムを１．２５キログラムに分けて行います。これは実験用の恒温漕の容量の関係によるものです。１．２５キログラムの茸が浸る量の水溶液の量は１，０００ＣＣです。恒温漕の設定温度は＋３０度Ｃでデジタル表示で温度が確認出来ます。時間は２４時間必要です。
茸に含まれる成分は芳香分を含めて水溶液の中に滲出します。２４時間後、液中から茸を取り出します。取り出した茸を圧縮し絞り含まれる水分を恒温された滲出液に加えます。滲出された液は合計で約１，０００ＣＣ＋２００ＣＣ計１，２００ＣＣになります。茸自体から滲出された分が１．２５キログラム分で２００ＣＣになり紋り取られた茸の残りは若干のロスがありますが約９５０グラムですから大体の質量のバランスは合致します。エタノール性水溶液は３０％液ですが、保恒中に茸の成分が滲出してエタノールのアルコール度数は希釈され１９度になります。
次に芳香成分の殆どは液中のエタノールに含まれていますので冷凍温度−６度Ｃに滲出液を入れてアルコール滲出分を凍らせるとシャーベット状に−６度Ｃで滲出液だけが凍り、エタノールに侵出した茸の滲出液は液体の状態で分離します。−６度Ｃで分離した滲出液は保存し後に再び用います。シャーベット状の滲出液は濾過後、温風、約４０度Ｃで俗に言う風乾の状態で濃縮します。
茸には若干の脂質と糖質があるので水分の揮化によって濃縮された滲出液は次第に粘性を帯びます。＋３０度Ｃで保恒中、温風による風乾で濃縮する事で物質の特性として同じタイプ或いは近似的な物質は互いに引き合い凝集し易くなります。
滲出液が約１／４、量にして３００ＣＣに達した時点で作業を打ち切ります。液は殆ど飽和状態になっています。エタノール性溶液として保存していた芳香性の滲出液、約２５０ＣＣを加えた後、濾過しますが前回の濾過とは異なり強い粘性がありますから漏斗は扁平な型で濾過紙も円柱型ではなく扁平にして用います。真空による吸引装置を用います。（後記の実験の工程図参照）このようにして得たる茸のエキスは約４５０ＣＣです。濾過によるロスや夾雑物の除去によるものです。透明で薄黄橙色の液体です。酸味、甘味、芳香も松茸特有の風味です。粉体や結晶などとして抽出するには真空凍結乾燥機を用いて水分を揮化させて得る事が出来ます。粉体或いは結晶として得る量は約３０グラム程です。
【０００５】
〔本発明の効果〕
このような抽出工程で滲出された茸の−−−カナダ産の松茸−−−のエキス３００ＣＣの成分は茸に含まれるアミノ酸、βグルカンそして芳香成分などで茸固有の成分を超低温と保恒時間でエキスとして滲出させ濃縮を行う特長を有します。前項の過程で説明していますが成分の同じ物や近い組成分は互いに引き合い凝縮しますから結晶としてエキスの中に存在します。添付目録中の写真で確認出来ます。
特別な専門技術も不要でこのような抽出技術は必ず人類の健康に寄与するものと確信致します。
(57)【要約】【課題】人工的に歯周病とう蝕（虫歯）の病原菌に対抗する生菌を口内に移入して、口腔内細菌叢の健全化をはかる事により、歯周病とう蝕（虫歯）の予防と治療を考える。【解決手段】歯周病は嫌気的状態の歯周ポケットの細菌群が起因菌である。その口腔内嫌気性細菌叢の改善のために、酪酸菌（Ｃｌｏｓｔｒｉｄｉｕｍ  ｂｕｔｙｒｉｃｕｍ）を用いて、嫌気性細菌叢の健全化をはかる。酪酸菌の生菌と芽胞をガムやトローチに分散させた食品あるいは医薬品を作成し、これを口内で、長い時間噛んだり、なめたりすることにより、酪酸菌の口腔内嫌気的環境での、生着と増殖を促進して、歯周病、さらにはう蝕の予防と治療を実行する。【選択図】図１
2004189709.tif 000002
【特許請求の範囲】
【請求項１】
歯周病の予防と治療の目的で、酪酸菌（Ｃｌｏｓｔｒｉｄｉｕｍ  ｂｕｔｙｒｉｃｕｍ）の口内停滞を考えたガムなどの食品
【請求項２】
う蝕（虫歯）の予防と治療の目的で、酪酸菌（Ｃｌｏｓｔｒｉｄｉｕｍ  ｂｕｔｙｒｉｃｕｍ）の口内停滞を考えたガムなどの食品
【請求項３】
歯周病の予防と治療の目的で、酪酸菌（Ｃｌｏｓｔｒｉｄｉｕｍ  ｂｕｔｙｒｉｃｕｍ）の口腔内局所投与に考慮した医薬品
【請求項４】
う蝕（虫歯）の予防と治療の目的で、酪酸菌（Ｃｌｏｓｔｒｉｄｉｕｍ  ｂｕｔｙｒｉｃｕｍ）の口腔内局所投与に考慮した医薬品
【発明の詳細な説明】
【０００１】
【発明の属する技術分野】
本発明は、歯周病およびう蝕の予防と治療を目的として、医療あるいは、健康増進のために用いられる。歯周病は、口腔内の細菌による感染症である。う蝕も同様に感染症である。これら疾患の予防と治療には、口腔内の細菌叢を健康に保つ事が重要である。そこで、いわゆる「善玉菌」である、酪酸菌（Ｃｌｏｓｔｒｉｄｉｕｍ  ｂｕｔｙｒｉｃｕｍ）を食品あるいは、医薬品として、口から体内に取り込み、口腔内に長くとどめる工夫により、口腔内細菌叢の改善を図ることを目的とする。
【０００２】
【従来の技術】
人体は、多くの細菌と共存して健康を保っている。よく知られているのは、腸内細菌である、この腸内細菌叢の変化が、その個体の健康を左右しかねない。そこで、現在、乳酸菌を主体とする、多くの食品や医薬品が腸内細菌の改善のために販売されている。本発明の酪酸菌（Ｃｌｏｓｔｒｉｄｉｕｍ  ｂｕｔｙｒｉｃｕｍ）は、嫌気性の細菌であり、腸内細菌叢の改善を目的に医薬品として、現在認可販売されている。一方、口腔内にも、細菌叢があり、この異常は歯周病や、う蝕を増悪するのではないかと、考えられる。最近は、この口腔内細菌叢の改善の試みも始まっている。しかし、乳酸菌などが活躍する、好気的環境だけでなく、嫌気的な環境の口腔内細菌叢の正常化が、歯周病では特に重要と私は考える。しかし、嫌気性細菌である酪酸菌を、歯周病やう蝕の予防や治療に利用する発想はまだない。この嫌気的環境下の善玉菌の細菌叢の築造が大切と考えられるが、それに対する効果的な方法はまだない。
【０００３】
【発明が解決しようとする課題】
細菌には、好気性菌と嫌気性菌があるが、特に歯周病では、嫌気性菌の関わりが重要と考える。歯周病は歯周ポケットという、嫌気的環境で病気が生まれる、この嫌気的状況で、いわゆる歯周病菌に打ち勝つ善玉菌の存在が重要である。この嫌気性口腔内細菌叢の改善に重要な役目を果たすことが期待できるのが、酪酸菌（Ｃｌｏｓｔｒｉｄｉｕｍ  ｂｕｔｙｒｉｃｕｍ）である。本発明の本質は、この酪酸菌を人為的に多量に口腔内に投与すれば、嫌気的な環境の場所で、この酪酸菌が定着して、歯周病菌の増殖を抑えて、より健康な口腔内細菌叢の維持が可能となるのではないかという考えにある。また、同時にう蝕に対しても細菌叢の改善により有効性が期待できる。この酪酸菌はすでに腸内細菌叢の改善薬として、認可され、その安全性は実証済みである。この酪酸菌は芽胞形成菌で、比較的環境の変化に強い菌である。この菌を長時間口内に留める事が重要で、そのために酪酸菌をガムに混合したり、あるいは、酪酸菌がゆっくり溶け出すトローチのような錠剤にするなど、口腔内に長く滞留するように工夫した形状で製品化することが望まれる。
【０００４】
【発明の実施の形態】
本発明の主体は、嫌気性口腔内細菌叢の健全化のために、酪酸菌（Ｃｌｏｓｔｒｉｄｉｕｍ  ｂｕｔｙｒｉｃｕｍ）を、口腔内に取り込むという発想にある。この酪酸菌が嫌気的環境である歯周ポケットで、多くの勢力を占有すれば、歯周病起因菌の発育抑制の効果が期待できる。本発明の効果を大きくするには、この酪酸菌を、飲み込むのではなくて、長く口内に留めるための工夫が必要である。たとえば、ガムに酪酸菌を分散させて、口内に運び、「酪酸菌入りガム」を噛む事で、口内に酪酸菌が滲出して、歯周ポケットに到達して、そこに定着し、増殖する事を期待する。あるいは、トローチに酪酸菌を含ませて、これを口内で、とけるまでなめる事により、酪酸菌がゆっくり口内に広がり、嫌気的な環境に入り込む事を期待する。ガムやトローチ以外にも、口内に長く留まる食品、あるいは賦形剤にこの酪酸菌を分散させて、口内に応用すればよい。歯周ポケット内で、この酪酸菌が増殖すれば、他の歯周病病原菌の増殖を抑えて、歯周病の予防と治療が期待できる。
【０００５】
【実施例】
酪酸菌（Ｃｌｏｓｔｒｉｄｉｕｍ  ｂｕｔｙｒｉｃｕｍ）は、工業的にタンク内で、培養増殖し、菌体は遠心分離等で、集め、凍結乾燥等で、粉末の生菌体を得る。酪酸菌は芽胞形成能力があるので、この生菌粉末には、多くの芽胞が含まれる。この芽胞は、生存能力が高いので、死滅させずに製品内に分散が可能である。この生菌体をガム、あるいはトローチ、その他の賦形剤に分散させて、製品として、利用者に販売する。利用者は口でガムやトローチなどを、噛んだり、なめたりすることにより、菌体が口腔内にとけだし、口腔内細菌叢の改善に働く。特に嫌気的な環境の場所で、この酪酸菌は増殖し、また、芽胞の発芽も期待できる。この菌体は飲み込んでも、安全であり、すでに腸内細菌叢の改善薬として、臨床に用いられて安全性は実証みである。
【０００６】
【発明の効果】
歯周病とう蝕は、その罹患者が多く、国民病とさえ言われている。今まで、多くの予防的、治療的試みがなされているが、なかなか病気の根絶には、ほど遠い。口腔内細菌叢の健全化という、新しい発想でこの疾患が抑制できるようになれば、多くの人々にとっての福音である。本発明の酪酸菌（Ｃｌｏｓｔｒｉｄｉｕｍ  ｂｕｔｙｒｉｃｕｍ）の口内への応用は、食品として摂取できれば、より広く、多くの人々に簡単に利用できるであろうが、関係法律の規制で、医薬品としての販売となっても致し方ない。しかし本発明の発想で、歯周病とう蝕の減少が実行されたならば、幸いである。
【図面の簡単な説明】
【図１】酪酸菌（Ｃｌｏｓｔｒｉｄｉｕｍ  ｂｕｔｙｒｉｃｕｍ）を分散させたガムの模式図
【符号の説明】
１酪酸菌（Ｃｌｏｓｔｒｉｄｉｕｍ  ｂｕｔｙｒｉｃｕｍ）の生菌体、または芽胞
２ガムの本体
【図１】
2004189709.tif 000003